(57)【要約】【課題】安全、かつ、効率的にエレベーターのメンテナンスを行うことができるエレベーター操作システムを提供する。【解決手段】エレベーター操作システム１は、携帯端末２００と通信可能な通信部２０と、携帯端末２００から通信部２０を介して入力されたコマンドが、エレベーター１００の移動動作に影響を与えるコマンドであるか否かを判断するコマンド判定部４１と、メンテナンス者により物理的に操作される入力部３０と、入力部３０への操作に基づく信号に基づき認証情報を生成し、メンテナンス者が現地にいることの認証を行う操作管理部４２と、を備え、操作管理部４２は、認証が成功したときには上記影響を与えるコマンドによるエレベーター１００の制御を許可し、認証が失敗したときには当該制御を許可せず、また、認証の結果によらず上記影響を与えないコマンドによるエレベーター１００の制御を許可する。【選択図】図１
2020050482.tif 000002
【特許請求の範囲】
【請求項１】
エレベーターを操作するためのエレベーター操作システムであって、
携帯端末と公衆回線を介して通信可能な通信部と、
前記携帯端末から前記通信部を介して入力された前記エレベーターのメンテナンスに関するコマンドが、前記エレベーターの移動動作に影響を与えるコマンドであるか否かを判断するコマンド判定部と、
前記エレベーターに設けられ、メンテナンス者により物理的に操作される入力部と、
前記入力部への操作に基づく信号に基づき認証情報を生成し、前記携帯端末から前記通信部を介して取得する認証情報と、生成した認証情報とを照合することによる認証を行う操作管理部と、を備え、
前記操作管理部は、
前記携帯端末から前記通信部を介して入力された前記コマンドが前記エレベーターの移動動作に影響を与えるコマンドであると前記コマンド判定部にて判断された場合に、前記認証が成功したときには当該コマンドによる前記エレベーターの制御を許可し、前記認証が失敗したときには当該コマンドによる前記エレベーターの制御を許可せず、
前記携帯端末から前記通信部を介して入力された前記コマンドが前記エレベーターの移動動作に影響を与えるコマンドでないと前記コマンド判定部にて判断された場合には、前記認証の結果によらず当該コマンドによる前記エレベーターの制御を許可する
エレベーター操作システム。
【請求項２】
前記エレベーター操作システムは、さらに、前記携帯端末と前記通信部とを一時的に通信可能とするための一時アクセス情報を発行する一時アクセス情報発行部を備え、
前記通信部は、前記携帯端末が前記一時アクセス情報発行部により発行された前記一時アクセス情報を用いることで、前記携帯端末と公衆回線を介して通信可能となる
請求項１に記載のエレベーター操作システム。
【請求項３】
前記操作管理部は、前記エレベーターにメンテナンス用の機器が直接接続された場合、前記携帯端末から入力された前記コマンドに基づく前記エレベーターの移動動作についての制御を禁止する
請求項１又は２に記載のエレベーター操作システム。
【請求項４】
前記入力部への操作に基づく信号は、前記携帯端末からの近距離無線による信号を含む、
請求項１〜３のいずれか１項に記載のエレベーター操作システム。
【請求項５】
前記エレベーター操作システムは、さらに、前記操作管理部により生成された認証情報を表示する認証情報表示部を備える
請求項１〜４のいずれか１項に記載のエレベーター操作システム。
【請求項６】
前記認証情報表示部は、前記操作管理部により生成された認証情報をバーコードで表示し、
前記操作管理部は、カメラによって前記バーコードを読み取った前記携帯端末から前記通信部を介して当該認証情報を取得する
請求項５に記載のエレベーター操作システム。
【請求項７】
前記エレベーターの移動動作に影響を与えるコマンドは、前記エレベーターの昇降又はドアの開閉のための駆動源を制御するコマンドを含む
請求項１〜６のいずれか１項に記載のエレベーター操作システム。
【請求項８】
エレベーターを操作するためのエレベーター操作方法であって、
前記エレベーターに設けられメンテナンス者により物理的に操作される入力部への操作に基づく信号に基づき認証情報を生成し、
携帯端末から、前記携帯端末と公衆回線を介して通信可能な通信部を介して入力された前記エレベーターのメンテナンスに関するコマンドが、前記エレベーターの移動動作に影響を与えるコマンドであるか否かを判断し、
前記携帯端末から前記通信部を介して取得する認証情報と、生成した認証情報とを照合することによる認証を行い、
前記携帯端末から前記通信部を介して入力された前記コマンドが前記エレベーターの移動動作に影響を与えるコマンドであると判断した場合に、前記認証が成功したときには当該コマンドによる前記エレベーターの制御を許可し、前記認証が失敗したときには当該コマンドによる前記エレベーターの制御を許可せず、
前記携帯端末から前記通信部を介して入力された前記コマンドが前記エレベーターの移動動作に影響を与えるコマンドでないと判断した場合には、前記認証の結果によらず当該コマンドによる前記エレベーターの制御を許可する
エレベーター操作方法。
【請求項９】
請求項８に記載のエレベーター操作方法をコンピュータに実行させるプログラム。
【発明の詳細な説明】
【技術分野】
【０００１】
本発明は、エレベーターを操作するためのエレベーター操作システム、エレベーター操作方法及びプログラムに関する。
【背景技術】
【０００２】
ユーザからの問い合わせ又は故障発生時等にエレベーターの状況を遠隔から把握するために、遠隔メンテナンス機能が求められている。これに対して、メンテナンス者ごとに識別情報が予め定められ、正しい識別情報を入力したメンテナンス者がエレベーターの遠隔メンテナンスを行えるようにする技術が開示されている（例えば特許文献１）。これにより、エレベーターの遠隔メンテナンスが可能となる。
【先行技術文献】
【特許文献】
【０００３】
【特許文献１】特許第４８７４７１３号公報
【発明の概要】
【発明が解決しようとする課題】
【０００４】
しかしながら、上記従来の特許文献に開示された技術では、メンテナンス対象のエレベーターについてのメンテナンス者は必ずしも固定の者ではなく都度変化し得るため、メンテナンスを担当する可能性のある全てのメンテナンス者の識別情報を予め登録しておく必要がある。このため、識別情報が登録されたメンテナンス者であれば誰でも、メンテナンスが必要なとき以外であっても常に当該エレベーターを遠隔から操作することが可能となる。例えば、遠隔からのエレベーターのメンテナンスに使用するコマンドには、実際にエレベーターを移動動作（例えば昇降又はドアの開閉等）させるものもあり、現地の状況がわからない遠隔から当該コマンドが実行されると危険な場合がある。
【０００５】
一方で、安全のために遠隔からのエレベーターの操作を禁止すれば、効率的にメンテナンスを行いにくくなる。
【０００６】
そこで、本発明は、安全、かつ、効率的にエレベーターのメンテナンスを行うことができるエレベーター操作システム等を提供することを目的とする。
【課題を解決するための手段】
【０００７】
本発明の一形態に係るエレベーター操作システムは、エレベーターを操作するためのエレベーター操作システムであって、携帯端末と公衆回線を介して通信可能な通信部と、前記携帯端末から前記通信部を介して入力された前記エレベーターのメンテナンスに関するコマンドが、前記エレベーターの移動動作に影響を与えるコマンドであるか否かを判断するコマンド判定部と、前記エレベーターに設けられ、メンテナンス者により物理的に操作される入力部と、前記入力部への操作に基づく信号に基づき認証情報を生成し、前記携帯端末から前記通信部を介して取得する認証情報と、生成した認証情報とを照合することによる認証を行う操作管理部と、を備え、前記操作管理部は、前記携帯端末から前記通信部を介して入力された前記コマンドが前記エレベーターの移動動作に影響を与えるコマンドであると前記コマンド判定部にて判断された場合に、前記認証が成功したときには当該コマンドによる前記エレベーターの制御を許可し、前記認証が失敗したときには当該コマンドによる前記エレベーターの制御を許可せず、前記携帯端末から前記通信部を介して入力された前記コマンドが前記エレベーターの移動動作に影響を与えるコマンドでないと前記コマンド判定部にて判断された場合には、前記認証の結果によらず当該コマンドによる前記エレベーターの制御を許可する。
【０００８】
本発明の一形態に係るエレベーター操作方法は、エレベーターを操作するためのエレベーター操作方法であって、前記エレベーターに設けられメンテナンス者により物理的に操作される入力部への操作に基づく信号に基づき認証情報を生成し、携帯端末から、前記携帯端末と公衆回線を介して通信可能な通信部を介して入力された前記エレベーターのメンテナンスに関するコマンドが、前記エレベーターの移動動作に影響を与えるコマンドであるか否かを判断し、前記携帯端末から前記通信部を介して取得する認証情報と、生成した認証情報とを照合することによる認証を行い、前記携帯端末から前記通信部を介して入力された前記コマンドが前記エレベーターの移動動作に影響を与えるコマンドであると判断した場合に、前記認証が成功したときには当該コマンドによる前記エレベーターの制御を許可し、前記認証が失敗したときには当該コマンドによる前記エレベーターの制御を許可せず、前記携帯端末から前記通信部を介して入力された前記コマンドが前記エレベーターの移動動作に影響を与えるコマンドでないと判断した場合には、前記認証の結果によらず当該コマンドによる前記エレベーターの制御を許可する。
【０００９】
本発明の一形態に係るプログラムは、上記のエレベーター操作方法をコンピュータに実行させるプログラムである。
【発明の効果】
【００１０】
本発明の一態様に係るエレベーター操作システム等によれば、安全、かつ、効率的にエレベーターのメンテナンスを行うことができる。
【図面の簡単な説明】
【００１１】
【図１】図１は、実施の形態１に係るエレベーター操作システムの一例を示す構成図である。
【図２】図２は、実施の形態１に係るエレベーター操作システムの動作の一例を示すフローチャートである。
【図３】図３は、実施の形態１に係るエレベーター操作システムの認証の結果に基づく処理の一例を示すフローチャートである。
【図４】図４は、実施の形態２に係るエレベーター操作システムの一例を示す構成図である。
【図５】図５は、実施の形態２に係るエレベーター操作システムの一時アクセス処理の一例を示すフローチャートである。
【発明を実施するための形態】
【００１２】
以下、実施の形態について、図面を参照しながら説明する。ここで示す実施の形態は、いずれも本発明の一具体例を示すものである。従って、以下の実施の形態で示される数値、形状、構成要素、構成要素の配置および接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
（実施の形態１）
以下、実施の形態１について図１から図３を用いて説明する。
【００１４】
［エレベーター操作システムの構成］
まず、実施の形態１に係るエレベーター操作システム１の全体構成について図１を用いて説明する。
【００１５】
図１は、実施の形態１に係るエレベーター操作システム１の一例を示す構成図である。なお、図１には、エレベーター操作システム１の構成要素ではない携帯端末２００も示されている。
【００１６】
エレベーター操作システム１は、現地に設置されたエレベーター１００を操作するためのシステムであり、エレベーター操作装置１０及びエレベーター１００を備える。なお、エレベーター操作システム１には、エレベーター１００が含まれていなくてもよい。この場合、エレベーター操作システム１は、エレベーター操作装置１０のみから構成されていてもよく、つまり、エレベーター操作装置１０であってもよい。
【００１７】
携帯端末２００は、メンテナンス者がエレベーター１００のメンテナンスを行う際に用いる端末であり、スマートフォン、タブレット又はエレベーター１００のメンテナンス用のリモートコントローラ等である。携帯端末２００は、ネットワークＮ（公衆回線）を介してエレベーター操作システム１（エレベーター操作装置１０）と通信可能となっている。ネットワークＮは、例えば、ＷＡＮ（Ｗｉｄｅ  Ａｒｅａ  Ｎｅｔｗｏｒｋ）である。ネットワークＮにおける通信には、無線通信、或いは、有線通信のいかなる通信プロトコルを適用してもよい。
【００１８】
エレベーター１００は、現地に設置された、具体的には、施設５に設けられたエレベーターである。施設５は例えば戸建てであり、エレベーター１００は例えば家庭用エレベーターである。なお、施設５は、戸建てに限らず、アパート等の集合住宅、ビル又は工場等であってもよく、エレベーター１００は、これらの施設に設けられたエレベーターであってもよい。
【００１９】
エレベーター操作装置１０は、エレベーター１００を操作するための装置であり、例えば施設５に設けられる。例えば、エレベーター操作装置１０は、エレベーター１００と一体に設けられる。具体的には、エレベーター操作装置１０は、エレベーター１００の壁等に埋め込まれ、後述するが、エレベーター操作装置１０が備える入力部３０及び認証情報出力部５０がエレベーター１００内の壁面に露出している。
【００２０】
エレベーター操作装置１０は、通信部２０、入力部３０、コマンド判定部４１、操作管理部４２、認証情報出力部５０、エレベーター通信部６０及びメモリ７０を備える。
【００２１】
エレベーター操作装置１０は、プロセッサ（マイクロプロセッサ）、メモリ７０、通信インタフェースとして通信部２０及びエレベーター通信部６０、並びに、ユーザインタフェースとして入力部３０及び認証情報出力部５０を含むコンピュータである。
【００２２】
通信インタフェースは、通信回路、有線通信が行われる場合にはコネクタ、又は、無線通信が行われる場合にはアンテナ等により実現される。
【００２３】
ユーザインタフェースは、例えば、ＬＣＤ（Ｌｉｑｕｉｄ  Ｃｒｙｓｔａｌ  Ｄｉｓｐｌａｙ）等のディスプレイ、ボタン又はタッチパネル等の入出力装置を含む。
【００２４】
メモリ７０は、ＲＯＭ、ＲＡＭ等であり、プロセッサにより実行される制御プログラム（コンピュータプログラム）を記憶することができる。なお、エレベーター操作装置１０は、１つのメモリを有していてもよく、また、複数のメモリを有していてもよく、ここでは、１つ又は複数のメモリをメモリ７０として示している。また、メモリ７０には、操作管理部４２により生成された認証情報（詳細は後述する）が記憶される。
【００２５】
プロセッサが制御プログラムに従って動作することにより、プロセッサが有する機能構成要素であるコマンド判定部４１、操作管理部４２が実現される。また、プロセッサが制御プログラムに従って動作することにより、各インタフェース（通信部２０、入力部３０、認証情報出力部５０及びエレベーター通信部６０）を制御する処理が行われる。
【００２６】
通信部２０は、携帯端末２００と公衆回線（ネットワークＮ）を介して通信可能な通信インタフェースである。携帯端末２００は、通信部２０を介して遠隔からエレベーター１００のメンテナンスを行うことができる。ただし、詳細は後述するが、遠隔から行うことが可能なメンテナンスの内容には制限がある。
【００２７】
入力部３０は、エレベーター１００に設けられ、メンテナンス者に物理的に操作されるインタフェースである。入力部３０がメンテナンス者に物理的に操作されるとは、エレベーター１００が設けられた現地までメンテナンス者が出向いて、入力部３０を直接操作することを意味する。入力部３０は、例えば、エレベーター１００内の壁面に露出するように設けられたボタンである。入力部３０は、エレベーター１００の移動動作（例えば昇降又はドアの開閉等）に関するメンテナンスが行われるときに操作される。
【００２８】
エレベーター操作装置１０が備えるプロセッサの機能構成要素であるコマンド判定部４１及び操作管理部４２については、後述する図２及び図３で説明する。
【００２９】
認証情報出力部５０は、操作管理部４２により生成された認証情報を出力するためのインタフェースである。認証情報出力部５０は、例えば、操作管理部４２により生成された認証情報を表示する認証情報表示部であり、具体的には、エレベーター１００内の壁面に露出するように設けられたディスプレイである。例えば、認証情報出力部５０は、認証情報をバーコードで表示する。携帯端末２００は、カメラを有し、当該カメラによって当該バーコードが読み取られることで、携帯端末２００は、認証情報を取得できる。なお、認証情報出力部５０は、認証情報としてパスワード（例えば複数文字の羅列からなるもの）を表示してもよく、メンテナンス者が当該パスワードを視認して当該パスワードを携帯端末２００に手動で入力することで携帯端末２００は、認証情報を取得してもよい。また、認証情報出力部５０は、認証情報を表示する認証情報表示部に限らない。例えば、認証情報出力部５０は、通信インタフェース等であってもよく、認証情報を無線又は有線により携帯端末２００に出力してもよい。
【００３０】
エレベーター通信部６０は、エレベーター１００と通信可能な通信インタフェースである。エレベーター操作装置１０は、エレベーター通信部６０を介してエレベーター１００の制御及び管理を行うことができる。例えば、エレベーター操作装置１０は、エレベーター通信部６０を介してエレベーター１００の移動動作を行ったり、エレベーター１００が有する情報（動作ログ、現在の状態又は異常情報等）を取得したりすることができる。
【００３１】
［エレベーター操作システムの動作］
次に、エレベーター操作システム１の動作について、図２及び図３を用いて説明する。
【００３２】
図２は、実施の形態１に係るエレベーター操作システム１の動作の一例を示すフローチャートである。
【００３３】
まず、操作管理部４２は、エレベーター１００に設けられメンテナンス者により物理的に操作される入力部３０への操作に基づく信号に基づき認証情報を生成する（ステップＳ１１）。入力部３０への操作に基づく信号は、例えば、入力部３０が操作されることで操作管理部４２へ通知される信号であって、操作管理部４２に認証情報を生成させるための信号である。なお、入力部３０への操作に基づく信号は、携帯端末２００からの近距離無線（例えばＢｌｕｅｔｏｏｔｈ（登録商標）等）による信号を含んでいてもよい。具体的には、入力部３０は、携帯端末２００からの近距離無線による信号を受け付けるためのトリガーとなるボタン等であってもよく、入力部３０が操作されることで、エレベーター操作装置１０が有する近距離無線用の近距離無線通信部（図示せず）が携帯端末２００からの近距離無線による信号を受け付け可能となってもよい。この場合、携帯端末２００からの近距離無線による信号として、操作管理部４２に認証情報を生成させるための信号を当該近距離無線通信部が受信することで、認証情報が生成される。そして、例えば、認証情報出力部５０（例えば通信インタフェース）によって当該認証情報が携帯端末２００により無線により出力（送信）される。
【００３４】
上述したように、入力部３０がメンテナンス者に物理的に操作されるとは、エレベーター１００が設けられた現地までメンテナンス者が出向いて入力部３０が直接操作されることを意味する。したがって、エレベーター１００が設けられた現地までメンテナンス者が出向いて入力部３０を直接操作しなければ認証情報を生成することができない。
【００３５】
操作管理部４２は、生成した認証情報をメモリ７０に記憶する。なお、操作管理部４２は、認証情報を生成した後、所定の時間経過後に当該認証情報を無効とする。具体的には、操作管理部４２は、認証情報を生成した後当該認証情報をメモリ７０に記憶し、所定の時間経過後にメモリ７０に記憶した当該認証情報を消去することで、当該認証情報を無効とする。所定の時間は、例えば６時間等であるが、特に限定されず適宜決定される。なお、所定の時間経過前であっても、エレベーター操作装置１０がメンテナンス者からメンテナンスの完了を示す情報を受信した場合、生成された認証情報が無効とされてもよい。また、操作管理部４２は、以前生成した認証情報を無効とした後、新たに認証情報を生成する場合、以前生成した認証情報とは異なる新たな認証情報を生成する。例えば、操作管理部４２は、ランダムな認証情報を生成する。
【００３６】
次に、コマンド判定部４１は、携帯端末２００から通信部２０を介して入力されたエレベーター１００のメンテナンスに関するコマンドが、エレベーター１００の移動動作に影響を与えるコマンドであるか否かを判断する（ステップＳ１２）。エレベーター１００のメンテナンスに関するコマンドは、エレベーター１００の昇降又はドアの開閉のための駆動源（モーター等）を制御するコマンド、エレベーター１００が有する情報（動作ログ、現在の状態又は異常情報等）を携帯端末２００へ送信させるコマンド等を含む。例えば、携帯端末２００には、エレベーター１００のメンテナンス用のソフトウェア（プログラム又はアプリ等）が記憶されており、当該ソフトウェアを用いることで、メンテナンス者は、エレベーター１００のメンテナンスに関するコマンドを携帯端末２００に入力することができる。通信部２０は、携帯端末２００と公衆回線を介して通信可能となっているため、エレベーター操作装置１０は、携帯端末２００から通信部２０を介してエレベーター１００のメンテナンスに関するコマンドが入力される。
【００３７】
エレベーター１００の移動動作に影響を与えるコマンドは、例えば、エレベーターの昇降又はドアの開閉のための駆動源を制御するコマンドを含む。例えば、エレベーター１００が有する情報（動作ログ、現在の状態又は異常情報等）を携帯端末２００へ送信させるコマンドは、エレベーター１００の移動動作に影響を与えるコマンドではない。エレベーター１００のメンテナンスに関するコマンドのそれぞれには、例えば、エレベーター１００の移動動作に影響を与えるコマンドであるか否かを示す情報が対応付けられている。例えば、エレベーターの昇降又はドアの開閉のための駆動源を制御するコマンドにはエレベーター１００の移動動作に影響を与えるコマンドであることを示す情報が対応付けられ、エレベーター１００が有する情報を携帯端末２００へ送信させるコマンドにはエレベーター１００の移動動作に影響を与えるコマンドでないことを示す情報が対応付けられる。コマンド判定部４１は、各コマンドに対応付けられたエレベーター１００の移動動作に影響を与えるコマンドであるか否かを示す情報を確認することで、上記判断を行うことができる。
【００３８】
携帯端末２００から通信部２０を介して入力されたエレベーター１００のメンテナンスに関するコマンドがエレベーター１００の移動動作に影響を与えるコマンドであるとコマンド判定部４１にて判断された場合には（ステップＳ１２でＹｅｓ）、操作管理部４２は以下のステップＳ１３の処理を行う。
【００３９】
操作管理部４２は、携帯端末２００から通信部２０を介して取得する認証情報と、生成した認証情報とを照合することによる認証を行い、当該認証の結果に基づきエレベーター１００の制御を実施する（ステップＳ１３）。具体的には、操作管理部４２は、携帯端末２００から通信部２０を介して入力されたコマンドがエレベーター１００の移動動作に影響を与えるコマンドであるとコマンド判定部４１にて判断された場合に、認証が成功したときには当該コマンドによるエレベーターの制御を許可し、認証が失敗したときには当該コマンドによるエレベーターの制御を許可しない。
【００４０】
例えば、携帯端末２００が認証情報を、メンテナンス者によって入力されたり、バーコードを読み取ったりすることで取得している場合、携帯端末２００からエレベーター操作装置１０に送信されるコマンドに当該認証情報が含められることで、操作管理部４２は携帯端末２００から通信部２０を介して認証情報を取得する。操作管理部４２は、携帯端末２００から取得した認証情報と生成した認証情報（具体的にはメモリ７０に記憶した認証情報）とを照合することで、メンテナンス者が現地にいることの認証を行うことができる。上述したように、エレベーター１００が設けられた現地までメンテナンス者が出向いて入力部３０を直接操作しなければ、認証情報を生成することができず、つまりは、メンテナンス者が携帯する携帯端末２００が当該認証情報を取得できず、ひいては上記照合ができないためである。このように、認証情報は、メンテナンス者が現地に行かなければ生成されない情報であるため、当該認証はメンテナンス者が現地にいることの認証といえる。ステップＳ１３での処理の詳細について図３を用いて説明する。
【００４１】
図３は、実施の形態１に係るエレベーター操作システム１の認証の結果に基づく処理の一例を示すフローチャートである。
【００４２】
操作管理部４２は、携帯端末２００から通信部２０を介して取得する認証情報と、生成した認証情報とが一致するか否かを判断する（ステップＳ２１）。例えば、認証情報出力部５０は、操作管理部４２により生成された認証情報をバーコードで表示し、操作管理部４２は、カメラによってバーコードを読み取った携帯端末２００から通信部２０を介して当該認証情報を取得してもよい。また、例えば、認証情報出力部５０は、操作管理部４２により生成された認証情報としてパスワードを表示してもよく、メンテナンス者が当該パスワードを視認して当該パスワードを携帯端末２００に手動で入力することで、携帯端末２００は認証情報を取得してもよい。そして、操作管理部４２は、取得した認証情報を送信する携帯端末２００から通信部２０を介して当該認証情報を取得してもよい。
【００４３】
このようにして、携帯端末２００が操作管理部４２により生成された認証情報を、現地にいるメンテナンス者によって入力されたり、現地でバーコードを読み取ったりすることで取得しており、操作管理部４２が当該認証情報を携帯端末２００から取得する場合、操作管理部４２は、携帯端末２００から通信部２０を介して取得する認証情報と、生成した認証情報とが一致すると判断する。
【００４４】
一方で、メンテナンス者が現地に出向いておらず入力部３０がメンテナンス者によって操作されていない場合、認証情報が生成されず、つまりは、メンテナンス者が携帯する携帯端末２００は認証情報を取得できない。このような場合には、操作管理部４２は、携帯端末２００から通信部２０を介して取得する認証情報と、生成した認証情報とが一致しないと判断する。また、例えば、操作管理部４２が認証情報を生成してから所定の時間が経過している場合には、上述したように当該認証情報は無効となるため、このような場合にも、操作管理部４２は、携帯端末２００から通信部２０を介して取得する認証情報と、生成した認証情報とが一致しないと判断する。
【００４５】
操作管理部４２は、携帯端末２００から通信部２０を介して取得する認証情報と、生成した認証情報とが一致すると判断した場合（ステップＳ２１でＹｅｓ）、認証が成功した（メンテナンス者が現地にいる）と判断し、エレベーター１００の移動動作に影響を与えるコマンドによるエレベーター１００の制御を許可する（ステップＳ２２）。当該コマンドは、現地で安全を確認しながらメンテナンスを行うメンテナンス者の携帯端末２００から送信されたコマンドであることから、当該コマンドによって、エレベーター１００の制御（昇降又はドアの開閉等）が行われても安全を確保することができている。
【００４６】
操作管理部４２は、携帯端末２００から通信部２０を介して取得する認証情報と、生成した認証情報とが一致しないと判断した場合（ステップＳ２１でＮｏ）、認証が失敗した（メンテナンス者が現地にいない）と判断し、エレベーター１００の移動動作に影響を与えるコマンドによるエレベーター１００の制御を許可しない（ステップＳ２３）。当該コマンドは、現地にいないメンテナンス者の携帯端末２００から送信されたコマンドである可能性があることから、当該コマンドによって、エレベーター１００の制御（昇降又はドアの開閉等）が行われると安全を確保できないおそれがある。なお、認証情報が生成されてから所定の時間経過後、当該認証情報が無効とされるのは、所定の時間経過後にはメンテナンス者によるメンテナンスが完了し、現地にメンテナンス者がいない可能性があることから、当該認証情報が有効なままにされると安全を確保できないおそれがあるためである。そして、操作管理部４２は、エレベーター１００の移動動作に影響を与えるコマンドによるエレベーター１００の制御を許可しない旨を携帯端末２００に通知する。これにより、メンテナンス者は、入力したコマンドが実行されていないことを知ることができる。
【００４７】
また、図２に示されるように、携帯端末２００から通信部２０を介して入力されたエレベーター１００のメンテナンスに関するコマンドがエレベーター１００の移動動作に影響を与えるコマンドでないとコマンド判定部４１にて判断された場合には（ステップＳ１２でＮｏ）、操作管理部４２は、認証の結果によらず当該コマンドによるエレベーター１００の制御を許可する（ステップＳ１４）。例えば、エレベーター１００が有する情報（動作ログ、現在の状態又は異常情報等）を携帯端末２００へ送信させるコマンドは、エレベーター１００のメンテナンスを行うために現地に出向く前に把握することが好ましい。このような情報に基づいて、予めどのようなメンテナンスをする必要があるかがわかり、例えば、メンテナンスのための適切な道具を準備できるためである。また、エレベーター１００が有する情報を携帯端末２００へ送信させるコマンドは、エレベーターの移動動作に影響を与えるコマンドではないため、このようなコマンドによりエレベーター１００が制御されても危険な状態とはならない。したがって、認証の結果によらず、例えば、メンテナンス者が現地にいない場合であっても、このようなコマンドによるエレベーター１００の制御を許可することができる。
【００４８】
なお、操作管理部４２は、エレベーターにメンテナンス用の機器が直接接続された場合、携帯端末２００から入力されたコマンドに基づくエレベーター１００の移動動作についての制御を禁止してもよい。例えば現地に複数のメンテナンス者がおり、あるメンテナンス者が、他のメンテナンス者が携帯する携帯端末２００とは異なるメンテナンス用の機器をエレベーター１００に直接接続して（接触させて）メンテナンスを行っている最中に、誤って携帯端末２００からエレベーター１００の移動動作についての制御が行われるのを抑制できるためである。
【００４９】
［効果等］
以上説明したように、エレベーター操作システム１は、エレベーターを操作するためのシステムである。エレベーター操作システム１は、携帯端末２００と公衆回線を介して通信可能な通信部２０と、携帯端末２００から通信部２０を介して入力されたエレベーター１００のメンテナンスに関するコマンドが、エレベーター１００の移動動作に影響を与えるコマンドであるか否かを判断するコマンド判定部４１と、エレベーター１００に設けられ、メンテナンス者により物理的に操作される入力部３０と、入力部３０への操作に基づく信号に基づき認証情報を生成し、携帯端末２００から通信部２０を介して取得する認証情報と、生成した認証情報とを照合することによる認証を行う操作管理部４２と、を備える。操作管理部４２は、携帯端末２００から通信部２０を介して入力されたコマンドがエレベーター１００の移動動作に影響を与えるコマンドであるとコマンド判定部４１にて判断された場合に、認証が成功したときには当該コマンドによるエレベーター１００の制御を許可し、認証が失敗したときには当該コマンドによるエレベーター１００の制御を許可しない。また、操作管理部４２は、携帯端末２００から通信部２０を介して入力されたコマンドがエレベーター１００の移動動作に影響を与えるコマンドでないとコマンド判定部４１にて判断された場合には、認証の結果によらず当該コマンドによるエレベーター１００の制御を許可する。
【００５０】
エレベーター１００に設けられた入力部３０がメンテナンス者に物理的に操作されるとは、エレベーター１００が設けられた現地までメンテナンス者が出向いて、入力部３０を直接操作することを意味する。つまり、認証情報は、メンテナンス者が現地にいなければ生成されない。よって、認証が成功した場合（つまり、メンテナンス者が現地にいると想定される場合）には、エレベーター１００の移動動作に影響を与えるコマンドによるエレベーター１００の制御を許可することができる。当該コマンドは、現地で安全を確認しながらメンテナンスを行うメンテナンス者の携帯端末２００から入力されたコマンドであることから、当該コマンドによって、エレベーター１００の制御（例えば昇降又はドアの開閉等）が行われても安全を確保することができているためである。また、認証が失敗した場合（つまり、メンテナンス者が現地にいないと想定される場合）には、エレベーター１００の移動動作に影響を与えるコマンドによるエレベーター１００の制御を許可しない。当該コマンドは、現地にいないメンテナンス者の携帯端末２００から入力されたコマンドである可能性があることから、当該コマンドによって、エレベーター１００の制御（例えば昇降又はドアの開閉等）が行われると安全を確保できないおそれがあるためである。したがって、当該コマンドによるエレベーター１００の制御を許可しないことで、安全を確保することができる。
【００５１】
また、エレベーター１００の移動動作に影響を与えないコマンドが携帯端末２００から入力された場合には、認証の結果によらず当該コマンドによるエレベーター１００の制御が許可される。例えば、エレベーター１００の移動動作に影響を与えないコマンドは、エレベーター１００が有する情報（動作ログ、現在の状態又は異常情報等）を携帯端末２００へ送信させるコマンドである。このようなコマンドは、エレベーター１００のメンテナンスを行うために現地に出向く前に把握することが好ましい。このような情報に基づいて、予めどのようなメンテナンスをする必要があるかがわかり、例えば、メンテナンスのための適切な道具を準備できるためである。また、エレベーター１００が有する情報を携帯端末２００へ送信させるコマンドは、エレベーターの移動動作に影響を与えるコマンドではないため、このようなコマンドによりエレベーター１００が制御されても危険な状態とはならない。したがって、認証の結果によらず、例えば、メンテナンス者が現地にいない場合であっても、このようなコマンドによるエレベーター１００の制御が許可されるため、効率的にメンテナンスを行うことができる。
【００５２】
このように、エレベーター操作システム１によれば、安全、かつ、効率的にエレベーター１００のメンテナンスを行うことができる。
【００５３】
また、操作管理部４２は、エレベーター１００にメンテナンス用の機器が直接接続された場合、携帯端末２００から入力されたコマンドに基づくエレベーター１００の移動動作についての制御を禁止してもよい。
【００５４】
例えば現地に複数のメンテナンス者がおり、あるメンテナンス者が、他のメンテナンス者が携帯する携帯端末２００とは異なるメンテナンス用の機器をエレベーター１００に直接接続してメンテナンスを行っている最中に、誤って携帯端末２００からエレベーター１００の移動動作についての制御が行われるのを抑制できる。つまり、より安全を確保できる。
【００５５】
また、入力部３０への操作に基づく信号は、携帯端末２００からの近距離無線による信号を含んでいてもよい。
【００５６】
これによれば、メンテナンス者が、現地において携帯端末２００を用いて近距離無線による信号を送信するだけで、容易に認証情報を生成させることができる。また、生成された認証情報が当該近距離無線を用いて携帯端末２００に送信されることで、認証情報をＬＣＤ等に表示して、メンテナンス者が手動で携帯端末２００に入力したり、バーコード等をカメラで読み取ったりすることなく、携帯端末２００は容易に認証情報を取得することができる。つまり、認証情報の生成及び携帯端末２００から通信部２０を介した認証情報の送信を自動、かつ、一括して行うことが可能となる。
【００５７】
また、エレベーター操作システム１は、さらに、操作管理部４２により生成された認証情報を表示する認証情報表示部（認証情報出力部５０）を備えていてもよい。
【００５８】
これによれば、メンテナンス者は、表示された認証情報を視認して携帯端末２００に入力することができる。
【００５９】
また、認証情報表示部（認証情報出力部５０）は、操作管理部４２により生成された認証情報をバーコードで表示し、操作管理部４２は、カメラによってバーコードを読み取った携帯端末２００から通信部２０を介して当該認証情報を取得してもよい。
【００６０】
このように、携帯端末２００は、バーコードを用いて認証情報を取得してもよい。
【００６１】
また、エレベーターの移動動作に影響を与えるコマンドは、エレベーター１００の昇降又はドアの開閉のための駆動源を制御するコマンドを含んでいてもよい。
【００６２】
これによれば、エレベーター１００の昇降又はドアの開閉のための駆動源を制御するコマンドは、現地にメンテナンス者がいないときに行われると危険な場合があるため、本発明により、現地にメンテナンス者がいるときのみにこのようなコマンドを行うことができるようにすることができる。
【００６３】
（実施の形態２）
次に、実施の形態２について図４及び図５を用いて説明する。
【００６４】
［エレベーター操作システムの構成］
まず、実施の形態２に係るエレベーター操作システム２の全体構成について図４を用いて説明する。
【００６５】
図４は、実施の形態２に係るエレベーター操作システム２の一例を示す構成図である。なお、図４には、エレベーター操作システム２の構成要素ではない携帯端末２００及び管理者端末４００も示されている。
【００６６】
実施の形態２に係るエレベーター操作システム２は、さらにサーバ装置３００を備える点が、実施の形態１に係るエレベーター操作システム１と異なる。その他の点については、実施の形態１に係るエレベーター操作システム１と同じであるため、説明は省略し、異なる点を中心に説明する。
【００６７】
管理者端末４００は、メンテナンス管理者（メンテナンス者を管理する者）がメンテナンス者を管理する際に用いる端末であり、スマートフォン、タブレット又はメンテナンス者の管理用のリモートコントローラ等である。管理者端末４００は、ネットワークＮ（公衆回線）を介してエレベーター操作システム２（サーバ装置３００）と通信可能となっている。
【００６８】
サーバ装置３００は、メンテナンス者の携帯端末２００とエレベーター操作装置１０との通信を管理する、例えばクラウドサーバである。サーバ装置３００は、ネットワークＮを介してエレベーター操作装置１０、携帯端末２００及び管理者端末４００と接続される。
【００６９】
サーバ装置３００は、通信部３２０、一時アクセス情報発行部３１１、端末要求処理部３１２及びメモリ３３０を備える。
【００７０】
サーバ装置３００は、プロセッサ（マイクロプロセッサ）、メモリ３３０、通信インタフェースとして通信部３２０を含むコンピュータである。
【００７１】
通信インタフェースは、通信回路、有線通信が行われる場合にはコネクタ、又は、無線通信が行われる場合にはアンテナ等により実現される。
【００７２】
メモリ３３０は、ＲＯＭ、ＲＡＭ等であり、プロセッサにより実行される制御プログラム（コンピュータプログラム）を記憶することができる。なお、サーバ装置３００は、１つのメモリを有していてもよく、また、複数のメモリを有していてもよく、ここでは、１つ又は複数のメモリをメモリ３３０として示している。また、メモリ３３０には、一時アクセス情報発行部３１１により発行された一時アクセス情報（詳細は後述する）が記憶される。
【００７３】
プロセッサが制御プログラムに従って動作することにより、プロセッサが有する機能構成要素である一時アクセス情報発行部３１１及び端末要求処理部３１２が実現される。また、プロセッサが制御プログラムに従って動作することにより通信部３２０を制御する処理が行われる。
【００７４】
通信部３２０は、エレベーター操作装置１０、携帯端末２００及び管理者端末４００と公衆回線（ネットワークＮ）を介して通信可能な通信インタフェースである。管理者端末４００は、通信部３２０を介してメンテナンス者の携帯端末２００とエレベーター操作装置１０との通信を管理することができる。
【００７５】
一時アクセス情報発行部３１１は、携帯端末２００と通信部２０（エレベーター操作装置１０）とを一時的に通信可能とするための一時アクセス情報を発行する処理部である。
【００７６】
端末要求処理部３１２は、携帯端末２００からのエレベーター操作装置１０へのアクセス要求を処理する処理部である。
【００７７】
一時アクセス情報発行部３１１及び端末要求処理部３１２の詳細については、図５を用いて説明する。なお、図５では、一時アクセス情報発行部３１１及び端末要求処理部３１２での処理を含む、エレベーター操作システム２の一時アクセス処理について説明する。
【００７８】
［エレベーター操作システムの一時アクセス処理］
図５は、実施の形態２に係るエレベーター操作システム２の一時アクセス処理の一例を示すフローチャートである。
【００７９】
まず、一時アクセス情報発行部３１１は、一時アクセス情報の発行要求を取得する（ステップＳ３１）。具体的には、一時アクセス情報発行部３１１は、通信部３２０を介して管理者端末４００から当該発行要求を取得する。例えば、メンテナンス管理者は、施設５に設けられたエレベーター１００の故障発生時、又は、定期メンテナンス時に、エレベーター１００のメンテナンスをメンテナンス者に行わせるために、管理者端末４００を用いて当該発行要求を行う。詳細は後述するが、メンテナンス者は、当該発行要求によって発行された一時アクセス情報がなければメンテナンスを行うことができないためである。
【００８０】
次に、一時アクセス情報発行部３１１は、一時アクセス情報を発行する（ステップＳ３２）。一時アクセス情報は、例えば、携帯端末２００が公衆回線を介してエレベーター操作装置１０にアクセスするためのパスワード、ＵＲＬ（Ｕｎｉｆｏｒｍ  Ｒｅｓｏｕｒｃｅ  Ｌｏｃａｔｏｒ）又はこれらの組み合わせ等である。
【００８１】
一時アクセス情報発行部３１１は、発行した一時アクセス情報を管理者端末４００へ送信し、かつ、メモリ３３０へ記憶する。なお、一時アクセス情報発行部３１１は、一時アクセス情報を発行した後、所定の時間経過後に当該一時アクセス情報を無効とする。具体的には、一時アクセス情報発行部３１１は、一時アクセス情報を生成した後当該一時アクセス情報をメモリ３３０に記憶し、所定の時間経過後にメモリ３３０に記憶した当該一時アクセス情報を消去することで、当該一時アクセス情報を無効とする。所定の時間は、例えば６時間等であるが、特に限定されず適宜決定される。なお、所定の時間経過前であっても、サーバ装置３００がメンテナンス者からメンテナンスの完了を示す情報を受信した場合、生成された一時アクセス情報が無効とされてもよい。また、一時アクセス情報発行部３１１は、以前生成した一時アクセス情報を無効とした後、新たに一時アクセス情報を生成する場合、以前生成した一時アクセス情報とは異なる新たな一時アクセス情報を生成する。例えば、一時アクセス情報発行部３１１は、ランダムな一時アクセス情報を生成する。
【００８２】
このように、一時アクセス情報は一時的なものであり、携帯端末２００と通信部２０との通信に一時アクセス情報が用いられることで、携帯端末２００と通信部２０とを一時的に通信可能とすることができる。
【００８３】
また、メンテナンス管理者は、管理者端末４００へ送信された一時アクセス情報を確認し、当該一時アクセス情報をエレベーター１００のメンテナンスを行わせるメンテナンス者の携帯端末２００に通知する。当該通知は、例えば、携帯端末２００へのメール送信等により行われるが特に限定されない。
【００８４】
携帯端末２００（メンテナンス者）は、エレベーター１００のメンテナンスに関するコマンドをエレベーター操作装置１０に送信するために、サーバ装置３００に対してエレベーター操作装置１０へのアクセス要求を行う。具体的には、携帯端末２００は、通知された一時アクセス情報を用いて当該アクセス要求を行う。これにより、サーバ装置３００の端末要求処理部３１２は、通信部３２０を介して、携帯端末２００からエレベーター操作装置１０へのアクセス要求を取得する（ステップＳ３４）。
【００８５】
端末要求処理部３１２は、携帯端末２００から取得する一時アクセス情報と、メモリ３３０に記憶された一時アクセス情報とが一致するか否かを判断する（ステップＳ３５）。例えば、一時アクセス情報発行部３１１が一時アクセス情報を発行してから所定の時間内に、端末要求処理部３１２が携帯端末２００から当該一時アクセス情報を取得した場合、携帯端末２００から取得する一時アクセス情報と、メモリ３３０に記憶された一時アクセス情報とが一致すると判断する。
【００８６】
一方で、メンテナンス者がメンテナンス管理者から一時アクセス情報を通知されていない場合、端末要求処理部３１２は、携帯端末２００から一時アクセス情報を取得できない。また、例えば、一時アクセス情報発行部３１１が一時アクセス情報を発行してから所定の時間が経過している場合には、上述したように当該一時アクセス情報は無効となる。このような場合には、端末要求処理部３１２は、携帯端末２００から取得する一時アクセス情報と、メモリ３３０に記憶された一時アクセス情報とが一致しないと判断する。
【００８７】
端末要求処理部３１２は、携帯端末２００から取得する一時アクセス情報と、メモリ３３０に記憶された一時アクセス情報とが一致すると判断した場合（ステップＳ３５でＹｅｓ）、携帯端末２００のエレベーター操作装置１０へのアクセスを許可する（ステップＳ３６）。具体的には、端末要求処理部３１２は、例えばエレベーター操作装置１０へのアクセス用のウェブページを携帯端末２００に表示させ、当該ウェブページを介して、携帯端末２００からのエレベーター１００のメンテナンスに関するコマンドを受け付けが可能となる。
【００８８】
一方で、端末要求処理部３１２は、携帯端末２００から取得する一時アクセス情報と、メモリ３３０に記憶された一時アクセス情報とが一致しないと判断した場合（ステップＳ３５でＮｏ）、携帯端末２００のエレベーター操作装置１０へのアクセスを禁止する（ステップＳ３７）。具体的には、端末要求処理部３１２は、例えばエレベーター操作装置１０へのアクセス用のウェブページを携帯端末２００に表示させない。これにより、当該ウェブページを介した、携帯端末２００からのエレベーター１００のメンテナンスに関するコマンドを受け付けが禁止される。
【００８９】
このように、通信部２０は、携帯端末２００が一時アクセス情報発行部３１１により発行された一時アクセス情報を用いることで、携帯端末２００と公衆回線を介して通信可能となる。なお、通信部２０は、一時アクセス情報発行部３１１により一時アクセス情報が発行された後、上述したように所定の時間経過した場合、携帯端末２００が当該一時アクセス情報を用いても携帯端末２００と通信不可能となる。
【００９０】
［効果等］
エレベーター操作システム２は、携帯端末２００と通信部２０とを一時的に通信可能とするための一時アクセス情報を発行する一時アクセス情報発行部３１１を備え、通信部２０は、携帯端末２００が一時アクセス情報発行部３１１により発行された一時アクセス情報を用いることで、携帯端末２００と公衆回線を介して通信可能となってもよい。
【００９１】
従来、識別情報が登録されたメンテナンス者であれば誰でも、メンテナンスが必要なとき以外であっても常に当該エレベーター１００を遠隔から操作することが可能となっていた。したがって、例えばエレベーター１００の動作ログ等からどのような時間帯にエレベーター１００が使用される傾向にあるのかがわかり、エレベーター１００のユーザのプライバシーの保護が十分ではなかった。これに対して、本態様では、携帯端末２００は、一時アクセス情報を用いなければ通信部２０と通信できない。このため、携帯端末２００は、一時アクセス情報を用いなければ、例えば、エレベーター１００の移動動作に影響を与えないコマンドとして、エレベーター１００が有する情報を携帯端末２００へ送信させるコマンドを通信部２０に送信できず、動作ログ等を取得できない。また、一時アクセス情報は、例えば、発行されてから特定の期間（例えば６時間等）のみ有効なものであるため、エレベーター１００のメンテナンスが完了した後には、携帯端末２００は、当該一時アクセス情報を用いても通信部２０と通信不可となる。このように、一時アクセス情報によって、メンテナンス者はエレベーター１００を遠隔から操作することを一時的にしかすることができないため、エレベーター１００のユーザのプライバシーの保護が可能となる。
【００９２】
（その他の実施の形態）
以上、実施の形態に係るエレベーター操作システム１、２について説明したが、本発明は、上記実施の形態に限定されるものではない。
【００９３】
例えば、上記実施の形態では、エレベーター１００の移動動作に影響を与えるコマンドは、エレベーター１００の昇降又はドアの開閉のための駆動源を制御するコマンドを含んでいたが、メンテナンス者が現地で安全又は状況を確認しながら実行すべきコマンドであればこれ以外のコマンドが含まれていてもよい。例えば、エレベーター１００の移動動作に影響を与えるコマンドは、エレベーター１００の移動速度若しくは停止位置等のエレベーター１００の移動動作に関連する設定パラメータ値を調整するコマンド、又は、異常検知による自動停止後にエレベーター１００の運転を復旧させるためのコマンド等を含んでいてもよい。
【００９４】
また、例えば、上記実施の形態では、携帯端末２００は、認証情報出力部５０が出力した認証情報そのものを、エレベーター１００のメンテナンスに関するコマンドと共にエレベーター操作装置１０に送信したが、携帯端末２００は、認証情報そのものをエレベーター操作装置１０へ送信しなくてもよい。例えば、携帯端末２００は、認証情報を用いて算出される値をエレベーター操作装置１０へ送信してもよい。具体的には、ＨＴＴＰ  Ｄｉｇｅｓｔ認証のように、まず、携帯端末２００は、メンテナンスに関するコマンドの送信のためにエレベーター操作装置１０の通信部２０に接続したときに、エレベーター操作装置１０からノンスを受け取る。そして、携帯端末２００は、ノンスと認証情報から算出される値とを当該コマンドと共にエレベーター操作装置１０へ送信し、エレベーター操作装置１０は、自身が送信したノンスと生成した認証情報とを用いて携帯端末２００から受信した当該コマンドの認証を実施する。これにより、認証情報そのものがＷＡＮに流れることはなくなり、認証情報の有効期間内に第三者によるエレベーター操作装置１０への不正アクセスが実行されるリスクを下げることが可能になる。
【００９５】
また、例えば、実施の形態１では、エレベーター１００の移動操作に影響を与えないコマンドについては認証なしで実行可能となるが、当該コマンドの実行のために別の認証が必要となってもよい。例えば、エレベーター操作装置１０には、認証情報出力部５０が出力する認証情報に加えて、当該認証情報とは異なる第２の認証情報が予め設定されていてもよい。そして、携帯端末２００は、当該認証情報だけでなく第２の認証情報もメンテナンスに関するコマンドに付加して送信し、少なくとも第２の認証情報を用いた認証に成功した場合に、エレベーター１００の移動操作に影響を与えないコマンドを実行可能としてもよい。これにより、第三者によるエレベーター操作装置１０への不正アクセスが実行されるリスクを下げることが可能になる。
【００９６】
また、例えば、上記実施の形態では、コマンド判定部４１及び操作管理部４２は、エレベーター１００と一体に設けられたエレベーター操作装置１０に備えられたが、これに限らない。例えば、コマンド判定部４１及び操作管理部４２は、エレベーター操作システム１、２が備える、ネットワークＮに接続されたサーバ装置等に備えられていてもよい。つまり、コマンド判定部４１及び操作管理部４２は、エレベーター１００が設けられた施設５外における装置に備えられていてもよい。
【００９７】
また、例えば、上記実施の形態では、操作管理部４２は、エレベーター１００にメンテナンス用の機器が直接接続された場合、携帯端末２００から入力されたコマンドに基づくエレベーター１００の移動動作についての制御を禁止したが、禁止しなくてもよい。
【００９８】
また、例えば、上記実施の形態では、エレベーター操作システム１、２は、認証情報出力部５０としてディスプレイ等の認証情報表示部を備えたが、備えなくてもよい。特に、入力部３０への操作に基づく信号が、携帯端末２００からの近距離無線による信号を含み、エレベーター操作装置１０と携帯端末２００とが近距離無線通信が可能な場合には、認証情報が表示されるディスプレイ等はなくてもよい。
【００９９】
また、本発明は、エレベーター操作システム１、２として実現できるだけでなく、エレベーター操作システム１、２を構成する各構成要素が行うステップ（処理）を含むエレベーター操作方法として実現できる。
【０１００】
具体的には、図２及び図３に示されるように、エレベーター操作方法は、エレベーター１００を操作するためのエレベーター操作方法であって、エレベーター１００に設けられメンテナンス者により物理的に操作される入力部３０への操作に基づく信号に基づき認証情報を生成し（ステップＳ１１）、携帯端末２００から、携帯端末２００と公衆回線を介して通信可能な通信部２０を介して入力されたエレベーター１００のメンテナンスに関するコマンドが、エレベーター１００の移動動作に影響を与えるコマンドであるか否かを判断し（ステップＳ１２）、携帯端末２００から通信部２０を介して取得する認証情報と、生成した認証情報とを照合することによる認証を行い（ステップＳ２１）、携帯端末２００から通信部２０を介して入力されたコマンドがエレベーター１００の移動動作に影響を与えるコマンドであると判断した場合に（ステップＳ１２でＹｅｓ）、認証が成功したときには（ステップＳ２１でＹｅｓ）当該コマンドによるエレベーター１００の制御を許可し（ステップＳ２２）、認証が失敗したときには（ステップＳ２１でＮｏ）当該コマンドによるエレベーター１００の制御を許可せず（ステップＳ２３）、携帯端末２００から通信部２０を介して入力されたコマンドがエレベーター１００の移動動作に影響を与えるコマンドでないと判断した場合には（ステップＳ１２でＮｏ）、認証の結果によらず当該コマンドによるエレベーター１００の制御を許可する（ステップＳ１４）。
【０１０１】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１０２】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。
【０１０３】
また、上記実施の形態のエレベーター操作システム１、２に含まれる各構成要素は、専用又は汎用の回路として実現されてもよい。
【０１０４】
また、上記実施の形態のエレベーター操作システム１、２に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【０１０５】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続及び設定が再構成可能なリコンフィギュラブル・プロセッサが、利用されてもよい。
【０１０６】
さらに、半導体技術の進歩又は派生する別技術によりＬＳＩに置き換わる集積回路化の技術が登場すれば、当然、その技術を用いて、エレベーター操作システム１、２に含まれる各構成要素の集積回路化が行われてもよい。
【０１０７】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０８】
１、２  エレベーター操作システム
２０、３２０  通信部
３０  入力部
４１  コマンド判定部
４２  操作管理部
５０  認証情報出力部
１００  エレベーター
２００  携帯端末
３１１  一時アクセス情報発行部
【図１】
2020050482.tif 000003
【図２】
2020050482.tif 000004
【図３】
2020050482.tif 000005
【図４】
2020050482.tif 000006
【図５】
2020050482.tif 000007